(57)【要約】【課題】  周囲の明るさから変換された電気信号に応じて商用電源を供給する「ＥＥスイッチ対応コンセント」、タイマーによる供給設定時間信号に応じて商用電源を供給する「おやすみスイッチ専用コンセント」、「常時通電コンセント」を任意に選択する。【解決手段】  周囲照度に応じた照度信号を出力する照度検知部１と、供給設定時間信号を出力するタイマー調整ボリューム３と、照度信号及び供給設定時間信号に応じて商用電源２の供給を制御する制御部４と、電源プラグを商用電源２に接続するコンセント５とを備え、常時電源回路７、照度信号による照度対応電源回路８、供給設定時間信号による設定時間対応電源回路９のいずれか一つにより商用電源２を供給するように光電式自動点滅器を構成する。そしてコンセント５において、常時電源回路７、照度対応電源回路８、設定時間対応電源回路９のいずれか一つを選択する切替スイッチ６を備える。【選択図】図１
2005050664.tif 000002
【特許請求の範囲】
【請求項１】
周囲照度に応じた照度信号を出力する照度検知部と、
商用電源の供給設定時間信号を出力するタイマー調整ボリュームと、
前記照度信号及び前記供給設定時間信号に応じて商用電源の供給を制御する制御部と、
電源プラグを前記商用電源に接続するコンセントとを備え、
常に前記商用電源を供給する常時電源回路、
前記照度信号に応じて前記商用電源を供給する照度対応電源回路
及び前記供給設定時間信号に応じて前記商用電源を供給する設定時間対応電源回路のいずれか一つにより前記商用電源を供給する光電式自動点滅器であって、
前記コンセントにおいて、前記常時電源回路、前記照度対応電源回路及び前記設定時間対応電源回路のいずれか一つによる前記商用電源の供給を選択する切替スイッチを備えることを特徴とする光電式自動点滅器。
【請求項２】
前記コンセントを少なくとも３個備えることを特徴とする請求項１記載の光電式自動点滅器。
【請求項３】
背面に開口をもつ箱状に形成され、下側面部に前記コンセント用の窓を有し、少なくとも前記制御部、前記常時電源回路、前記照度対応電源回路及び前記設定時間対応電源回路を覆う露出ボックスと、
前記露出ボックスの開口を閉塞する形状に形成され、内側に電線挿入口を有する防水パッキンとを備え、
前記防水パッキンの背面の内側に前記電線挿入口を取り囲むリブを設けることを特徴とする請求項１又は請求項２記載の光電式自動点滅器。
【請求項４】
背面に開口をもつ箱状に形成され、下側面部に前記コンセント用の窓を有し、少なくとも前記制御部、前記常時電源回路、前記照度対応電源回路及び前記設定時間対応電源回路を覆う露出ボックスを含む器体を有し、
前記露出ボックスの開口と壁面とが略平行になるように前記器体を前記壁面上に設置した場合に、
前記露出ボックスの正面部の上端側が下端側よりも前記壁面側に傾斜していることを特徴とする請求項１又は請求項２又は請求項３記載の光電式自動点滅器。
【発明の詳細な説明】
【技術分野】
【０００１】
本発明は、周囲の外光を検出して、負荷を自動的に駆動させる光電式自動点滅器に関するものである。
【背景技術】
【０００２】
従来、この種の光電式自動点滅器は、種々提案されまた市販されている。例えば、特許文献１には、周囲の明るさを検出し、規定の明るさ以下になると照明負荷を点灯させることができる光電式自動点滅器が記載されている。これは、光起電力素子などが受光した光を電気信号に変換し、この電気信号を制御信号にして回路の入／切を行っている。
【０００３】
上記のような照明負荷だけでなく、他の電気機器などの負荷を接続し、周囲の明るさに応じて商用電源供給の入／切を行うコンセントもある。
【０００４】
また、タイマーで商用電源の通電時間又は通電終了時刻を設定し、設定時間又は設定時刻までは商用電源を供給し、設定時間又は設定時刻が過ぎると自動的に商用電源が切れる機能を持つコンセントも提供されている。
【特許文献１】特開２００３−１３３００８号公報（第３頁−第５頁、及び、第１図）
【発明の開示】
【発明が解決しようとする課題】
【０００５】
しかしながら、上記従来の光電式自動点滅器などは、周囲の明るさから変換された電気信号に応じて商用電源を供給する「ＥＥスイッチ対応コンセント」、タイマーによる供給設定時間信号に応じて商用電源を供給する「おやすみスイッチ専用コンセント」、「常時通電コンセント」が独立して別々のコンセントに備えられているという問題があった。例えば、ＥＥスイッチ対応コンセントで使用したい負荷が２個ある場合に、ＥＥスイッチ対応コンセント１個と常時通電コンセント１個を備える光電式自動点滅器ではコンセントの数が足りていながらどちらか一方の負荷しか使用することができない。またコンセントの数が少ない光電式自動点滅器では、これらの異なる用途に応じたコンセントをすべて揃えることができない。
【０００６】
本発明は上述の点に鑑みて為されたものであり、その目的とするところは、周囲の明るさから変換された電気信号に応じて商用電源を供給する「ＥＥスイッチ対応コンセント」、タイマーによる供給設定時間信号に応じて商用電源を供給する「おやすみスイッチ専用コンセント」、「常時通電コンセント」を任意に選択することができる光電式自動点滅器を提供することにある。
【課題を解決するための手段】
【０００７】
請求項１に記載の発明は、周囲照度に応じた照度信号を出力する照度検知部と、商用電源の供給設定時間信号を出力するタイマー調整ボリュームと、前記照度信号及び前記供給設定時間信号に応じて商用電源の供給を制御する制御部と、電源プラグを前記商用電源に接続するコンセントとを備え、常に前記商用電源を供給する常時電源回路、前記照度信号に応じて前記商用電源を供給する照度対応電源回路及び前記供給設定時間信号に応じて前記商用電源を供給する設定時間対応電源回路のいずれか一つにより前記商用電源を供給する光電式自動点滅器であって、前記コンセントにおいて、前記常時電源回路、前記照度対応電源回路及び前記設定時間対応電源回路のいずれか一つによる前記商用電源の供給を選択する切替スイッチを備えることを特徴とする。
【０００８】
この構造では、切替スイッチで複数の商用電源を供給する電源回路を切り替えることができ、これにより周囲の明るさから変換された電気信号に応じて商用電源を供給する「ＥＥスイッチ対応コンセント」、タイマーによる供給設定時間信号に応じて商用電源を供給する「おやすみスイッチ専用コンセント」、「常時通電コンセント」を任意に選択することができる。
【０００９】
請求項２に記載の発明は、請求項１に記載の発明において、前記コンセントを少なくとも３個備えることを特徴とする。この構造では、少なくとも３個のコンセントを備えているので、同時に使用できる電気機器を増やすことができたり、「ＥＥスイッチ対応コンセント」、「おやすみスイッチ専用コンセント」、「常時通電コンセント」を同時に使用することができたりするので使用可能な場面を増やすことができる。
【００１０】
請求項３に記載の発明は、請求項１又は２に記載の発明において、背面に開口をもつ箱状に形成され、下側面部に前記コンセント用の窓を有し、少なくとも前記制御部、前記常時電源回路、前記照度対応電源回路及び前記設定時間対応電源回路を覆う露出ボックスと、前記露出ボックスの開口を閉塞する形状に形成され、内側に電線挿入口を有する防水パッキンとを備え、前記防水パッキンの背面の内側に前記電線挿入口を取り囲むリブを設けることを特徴とする。この構造では、取付状態において、防水パッキンの背面に設けられたリブが電線挿入口を取り囲むようにして壁面側に突出することにより、雨水が壁面を伝わって電線挿入口に侵入するのを防止することができる。
【００１１】
請求項４に記載の発明は、請求項１又は２又は３に記載の発明において、背面に開口をもつ箱状に形成され、下側面部に前記コンセント用の窓を有し、少なくとも前記制御部、前記常時電源回路、前記照度対応電源回路及び前記設定時間対応電源回路を覆う露出ボックスを含む器体を有し、前記露出ボックスの開口と壁面とが略平行になるように前記器体を前記壁面上に設置した場合に、前記露出ボックスの正面部の上端側が下端側よりも前記壁面側に傾斜していることを特徴とする。この構造では、露出ボックスの正面部が上向きになり、上方向からの光を受光しやすくできるとともに、突発的な正面からの光による誤動作を防止することができる。
【発明の効果】
【００１２】
本発明によれば、周囲の明るさから変換された電気信号に応じて商用電源を供給する「ＥＥスイッチ対応コンセント」、タイマーによる供給設定時間信号に応じて商用電源を供給する「おやすみスイッチ専用コンセント」、「常時通電コンセント」を任意に選択することができる。
【発明を実施するための最良の形態】
【００１３】
（実施形態１）
図１は本発明による実施形態１の光電式自動点滅器の回路概略図、図２は同光電式自動点滅器の外観図、図３は同光電式自動点滅器の分解斜視図である。
【００１４】
まず、実施形態１の基本的な構成について説明する。
【００１５】
実施形態１の光電式自動点滅器は、図１に示すように、周囲照度に応じた照度信号を出力する照度検知部１と、商用電源２の供給設定時間信号を出力するタイマー調整ボリューム３と、照度信号及び供給設定時間信号に応じて商用電源２の供給を制御する制御部４と、電源プラグを商用電源２に接続する複数のコンセント５と、各コンセント５ごとに商用電源２の供給方法を選択する切替スイッチ６とを備えている。また、常に商用電源２を供給する常時電源回路７と、照度信号に応じて商用電源２を供給する照度対応電源回路８と、供給設定時間信号に応じて商用電源２を供給する設定時間対応電源回路９を備えている。
【００１６】
また、実施形態１は、図２及び図３に示すように、上記各部を覆う露出ボックス１５及び裏ふた１６と、裏ふた１６の背面に設けられる防水パッキン１７と、本光電式自動点滅器を壁面に取り付けるための絶縁取付枠１８を備えている。
【００１７】
照度検知部１は、周囲の明るさを検出し、その検出した照度をこのレベルに応じた電気信号（照度信号）に変換する素子であり、例えば、フォトダイオードやフォトトランジスタが用いられる。照度検知部１は、図１に示すように、周囲照度に対応する照度信号を制御部４へ出力する。
【００１８】
タイマー調整ボリューム３は、図３に示すように、突起状のつまみを備えるボリューム３ａと円板状に形成され上記つまみと例えば歯合などで固定して設定時間を表示するダイヤル３ｂとを有している。ダイヤル３ｂをまわして商用電源２の通電時間又は通電終了時刻を設定し、その設定時間又は設定時刻に対応した供給設定時間信号を制御部４へ出力する。タイマー調整ボリューム３は、通電時間を１〜１０時間の範囲で設定することができる。
【００１９】
制御部４は、図１に示すように、照度検知部１からの照度信号、タイマー調整ボリューム３からの供給設定時間信号、通電時間の設定モードを使用するかどうかを決定するタイマー切／入１０からの信号が入力される。これらの入力信号に応じて各電源回路のオン・オフの切替を行うための信号が、照度対応電源回路８と、リレー駆動部１１を介在して設定時間対応電源回路９とに出力される。例えば、照度検知部１から入力された照度信号は、周囲照度が基準照度より暗いときはオンを表す照度信号に変換され、周囲照度が基準照度よりも明るいときはオフを表す照度信号に変換されて照度対応電源回路８に出力される。また、タイマー調整ボリューム３から入力された供給設定時間信号は、設定時間又は設定時刻まではオンを表し、設定時間又は設定時刻を過ぎたらオフを表す信号に変換されて設定時間対応電源回路９に出力される。リレー駆動部１１は、制御部４から入力される供給設定時間信号に対応した信号を制御信号とし、設定時間対応電源回路９の通電を制御する。また、制御部４を動作させるために、商用電源２から分岐された電源部１２が用いられている。
【００２０】
コンセント５は、図１及び図２に示すように、電気機器に商用電源２を供給するために電気機器の電気プラグと接続する差込口である。コンセント５は、図２に示すように、雨水などから保護するために、露出ボックス１５の下側面に設けられている。また、実施形態１において、コンセント５は、２ピンタイプのコンセントであるが、３ピンタイプの回動するタイプである接地付抜け止めコンセントを設けるようにしてもよい。
【００２１】
切替スイッチ６は、図４に示すように、つまみ６ａとボックス６ｂが備えられ、図１に示すように、一端は常時電源回路７、照度対応電源回路８、設定時間対応電源回路９と接続し、他端はコンセント５に接続されている。切替スイッチ６は、図４に示すように、ボックス６ｂ内に切替位置６ｃ〜６ｅを設け、つまみ６ａを切替位置６ｃに移動させると常時電源回路７に切り替えることができ、同様につまみ６ａを切替位置６ｄに移動させると設定時間対応電源回路９、切替位置６ｅに移動させると照度対応電源回路８に切り替えることができる。また、各切替スイッチ６は、図２に示すように、対応する各コンセント５の近傍に設けられる。
【００２２】
常時電源回路７は、図１に示すように、外部から入力される商用電源２と各コンセント５との間に、各切替スイッチ６を介在した構成になっている。
【００２３】
照度対応電源回路８は、外部から入力される商用電源２と各コンセント５との間に、制御部４からの信号により開閉を行う第１スイッチ１３と各切替スイッチ６とを介在した構成になっている。
【００２４】
設定時間対応電源回路９は、外部から入力される商用電源２と各コンセント５との間に、第１リレー駆動部１１からの信号により開閉を行う第２スイッチ１４と各切替スイッチ６とを介在した構成になっている。タイマー調整ボリューム３で設定した時間又は時刻までコンセント５に接続された電気機器に商用電源２の供給を行う。
【００２５】
露出ボックス１５は、図３に示すように、背面（図３では下側）が開口して箱状に形成される。露出ボックス１５は、制御部４、常時電源回路７、照度対応電源回路８及び設定時間対応電源回路９を含む回路や素子を雨水などから保護するためにこれらの回路や素子を覆っている。また、露出ボックス１５の下側面（図３では右手前）にはコンセント窓１９が形成されている。さらに、照度検知部１に対応した光が入るように正面部に光入射口２０を設けている。照度検知部１と光入射口２０との間には、図２に示すように、照度検知部１に対して透光性乃至透光窓２７ａを有する透光窓部材２７が設けられる。露出ボックス１５下部には、アースターミナル２１を設けている。露出ボックス１５は、露出ボックス１５の開口部を閉塞するように裏ふた１６と接合する。
【００２６】
また露出ボックス１５の正面部は、図２に示すように、側面から見ると上端部が下端側よりも背面側（壁面側）に傾斜させているので露出ボックス１５の正面部は上向きになる。露出ボックス１５の正面部には、図３に示すように、照度検知部１が外部周囲の光を受光できるように光入射口２０が設けられ、露出ボックス１５の正面部が上向きになっているので光入射口２０も上向きになる。光入射口２０に正面から入射する光には、車のヘッドライトなどの突発的な光があるので、光入射口２０を上向きにすることによってこのような光の影響を少なくすることができる。光入射口２０より入射した光は、採光窓部材２７を透過し、照度検知部１によって受光され、光入射口２０を上向きになっているので照度検知部１は上からの光を受光しやすくなる。
【００２７】
コンセント窓１９は、図３に示すように、コンセント５及び切替スイッチ６を外部に露出して設置するために設けられる。また、コンセント窓１９は、雨水などが露出ボックス１５の内部に侵入するのを防止するために下側面に設けられる。
【００２８】
防水パッキン１７は、図３に示すように、露出ボックス１５の開口部を閉塞するような形状であり、中央付近には商用電源２からの電線を露出ボックス１５内に設置されている端子台２２に接続するための電線挿入口２３を有している。防水パッキン１７は、絶縁取付枠１８を介在させて、壁面に取り付けることができる。
【００２９】
絶縁取付枠１８は、図３に示すように、防水パッキン１７の背面（図１７では下側）に設けられ、本光電式自動点滅器を壁面に取り付けるためのものである。
【００３０】
アースターミナル２１は、図３に示すように、露出ボックス１５下部から前面側に露出する螺合部２１ａと、この螺合部２１ａに螺合するアースねじ２１ｂからなり、露出ボックス１４の前面下部に設けられる。アース線を導出した２ピンの電源プラグにおいて、アース線の一端をアースターミナル２１の螺合部２１ａとアースねじ２１ｂとの間に挟み込めば、電源プラグを有する電気機器に対してアースをとることが可能となる。
【００３１】
実施形態１は、露出ボックス１５の正面部が、上端部が下端側よりも背面側（壁面側）に傾斜していることと、各コンセント５がそれぞれＥＥスイッチ対応コンセント、おやすみスイッチ専用コンセント、常時通電コンセントの電源回路を切り替える切替スイッチ６を設けていることを特徴とする。
【００３２】
この構造では、上方向からの光を受光しやすくなるとともに、正面からの突発的な光の影響を受けにくくなる。また、各コンセント５において切替スイッチ６のつまみ６ａをボックス６ｂ内の所定の位置に移動させることによって複数の電源回路の切替を行うことができる。
【００３３】
実施形態１によれば、露出ボックス１５の正面部を上向きに傾斜して突発的な光の影響を少なくすることにより、周囲照度に対する誤動作を防止することができる。さらに各コンセント５ごとに設けられる切替スイッチ６で複数の電源回路を切り替えることができ、これにより周囲の明るさから変換された電気信号に応じて商用電源を供給する「ＥＥスイッチ対応コンセント」、タイマーによる供給設定時間信号に応じて商用電源を供給する「おやすみスイッチ専用コンセント」、「常時通電コンセント」を任意に選択することができる。
【００３４】
なお、実施形態１の変形例として、図５に示すように、アースターミナル２１を露出ボックス１５前面下部の中央に設けるようにしてもよい。この構造では、どちらのコンセント５を用いた場合でもアースターミナル２１が近くなり、電源プラグのアース線をアースターミナル２１に容易に接続することできる。
【００３５】
実施形態１の他の変形例として、図６に示すように、各コンセント５の近傍に通電表示灯２４を設けるようにしてもよい。通電表示灯２４は、ネオンランプや発光ダイオードを用いられ、露出ボックス１５の下側面に各コンセント５ごとに設けられる。通電表示灯２４は、コンセント５が通電状態である場合に点灯する。これにより、電気機器の通電状況を視覚的に容易に確認することができる。
【００３６】
また、実施形態１の他の変形例として、図７に示すように、出力端子台２５を設けるようにしてもよい。出力端子台２５は、壁面側に切替スイッチ６で選択した方法で商用電源２を供給する外部出力端子２８を設け、コンセント５以外に壁面を通す埋め込み配線による電気機器への接続にも対応することができる。
（実施形態２）
実施形態２の基本的な構成について実施形態１と異なる点について図８を用いて説明する。
【００３７】
実施形態２は、コンセント５を少なくとも３個備えることを特徴とする。
【００３８】
実施形態２は、図８に示すように、露出ボックス１５の下側面にコンセント５を３個設けるともに、切替スイッチ６も各コンセント５ごとに設けられる。
【００３９】
実施形態２によれば、少なくとも３個のコンセント５を備えているので、同時に使用できる電気機器を増やすことができたり、「ＥＥスイッチ対応コンセント」、「おやすみスイッチ専用コンセント」、「常時通電コンセント」を同時に使用することができたりするので使用可能な場面を増やすことができる。
（実施形態３）
実施形態３の基本的な構成について実施形態１と異なる点について図３及び図９を用いて説明する。
【００４０】
実施形態３では、防水パッキン１７の壁面側である背面の内側に電線挿入窓を取り囲むようにリブ２６を設けることを特徴とする。
【００４１】
防水パッキン１７は、図３に示すように、露出ボックス１５の開口部を閉塞するような形状であり、中央付近には商用電源２からの電線を露出ボックス１５内に設置されている端子台２２に接続するために電線挿入口２３を有している。さらに、防水パッキン１７の背面である壁面側には、図９（ｂ）に示すように、壁面側方向に突出するリブ２６が電線挿入窓を取り囲むように形成される。防水パッキン１７は、絶縁取付枠１８を介在させて、壁面に取り付けることができる。
【００４２】
実施形態３によれば、防水パッキン１７の壁面側にリブ２６を設けることによって、壁面に取り付けたときに電線挿入口２３を取り囲むように壁面側に壁ができるので、取付状態において、防水パッキン１７のリブ２６により、雨水が壁面を伝わって電線挿入口２３に侵入するのを防止することができる。
【図面の簡単な説明】
【００４３】
【図１】本発明による実施形態１の光電式自動点滅器の回路概略図である。
【図２】同上の外観図であって、（ａ）は正面図、（ｂ）は右側面図、（ｃ）は下側面図である。
【図３】同上の分解斜視図である。
【図４】同上の切替スイッチを示す図である。
【図５】同上の変形例の外観図であって、（ａ）は正面図、（ｂ）は右側面図、（ｃ）は斜視図である。
【図６】同上の他の変形例の背面図である。
【図７】同上の他の変形例の背面図である。
【図８】本発明による実施形態２の光電式自動点滅器の外観図であって、（ａ）は正面図、（ｂ）は右側面図、（ｃ）は下側面図である。
【図９】本発明による実施形態３の光電式自動点滅器の外観図であって、（ａ）は右側面図、（ｂ）は背面図である。
【符号の説明】
【００４４】
１  照度検知部
２  商用電源
３  タイマー調整ボリューム
３ａ  ボリューム
３ｂ  ダイヤル
４  制御部
５  コンセント
６  切替スイッチ
６ａ  つまみ
６ｂ  ボックス
７  常時電源回路
８  照度対応電源回路
９  設定時間対応電源回路
１５  露出ボックス
１７  防水パッキン
２３  電線挿入口
２６  リブ
【図１】
2005050664.tif 000003
【図２】
2005050664.tif 000004
【図３】
2005050664.tif 000005
【図４】
2005050664.tif 000006
【図５】
2005050664.tif 000007
【図６】
2005050664.tif 000008
【図７】
2005050664.tif 000009
【図８】
2005050664.tif 000010
【図９】
2005050664.tif 000011